(57)【要約】【課題】軽量で扱い易く製作容易でコスト安な極めて実用的な捕獲網を提供すること。【解決手段】網取付枠１と棒状握柄２とを共に、チタン材若しくはチタン合金材で形成し、この網取付枠１と棒状握柄２とを溶接連結して構成した捕獲網。【選択図】　　　　図１
2004024017.tif 000002
【特許請求の範囲】
【請求項１】
網取付枠と棒状握柄とを共に、チタン材若しくはチタン合金材で形成し、この網取付枠と棒状握柄とを溶接連結して構成したことを特徴とする捕獲網。
【請求項２】
輪状の網取付枠にパイプ製握柄を連設した捕獲網において、前記網取付枠と握柄とを共にチタン材若しくはチタン合金材で形成し、この網取付枠と握柄とを溶接連結して構成したことを特徴とする請求項１記載の捕獲網。
【請求項３】
輪状に湾曲若しくは折曲した前記網取付枠の基端部の対向近接した遊離端部を、前記握柄の連結端部の外周面に夫々沿設して前記遊離端部間に握柄の連結端部が介在するように配設し、この遊離端部と連結端部とを溶接接合して、網取付枠と握柄とを溶接連結したことを特徴とする請求項１，２のいずれか１項に記載の捕獲網。
【請求項４】
チタン材若しくはチタン合金材で形成した網取付枠若しくは握柄を加熱して発色させたことを特徴とする請求項１〜３のいずれか１項に記載の捕獲網。
【請求項５】
前記網取付枠に網を設けて魚を捕獲するたも網、若しくはゴミあるいは泥を捕獲するすくい網として構成したことを特徴とする請求項１〜４のいずれか１項に記載の捕獲網。
【請求項６】
海・川・池あるいは側溝の底部の生物やゴミ等の捕獲物をすくうすくい網に構成し、前記網取付枠の先端部外側に、保護材を設けたことを特徴とする請求項１〜５のいずれか１項に記載の捕獲網。
【発明の詳細な説明】
【０００１】
【発明の属する技術分野】
本発明は、たも網や虫取り網や、海・川・池あるいは側溝の底の生物やヘドロや落ち葉等のゴミをすくい取る捕獲網に関するものである。
【０００２】
【従来の技術及び発明が解決しようとする課題】
例えば、従来のたも網は錆びに強いステンレス製としているが、このステンレス製のたも網は重いため、扱いづらい。
【０００３】
また、この従来のたも網は、網取付枠と握柄との連結を、この連結部にかかる荷重のことを考慮し、例えば、握柄の先端部に螺子孔を形成し、この螺子孔に網取付枠に接合した螺子を螺着し、この螺着した螺子の頭部を螺子孔の孔周縁部に設けた固定用爪で固定する等、できるだけ強固でがたつかない構成とするため、多くの製作作業工程を必要とする方法によって行っている。
【０００４】
さらに、従来のたも網は、外観を整えつつ耐食性を持たせるために、塗装を施しているが、この塗装作業に要する手間も無視できない。
【０００５】
本発明は、上述のような現状に鑑み、網取付枠、握柄共にチタン材若しくはチタン合金材で形成することで、更に軽量で扱い易く且つ強度に秀れたものとし、また、この網取付枠と握柄との連結を溶接によって行う連結構成とすることで、従来の連結方法に比べ製作作業工程を大幅に削減でき、更に、チタンは加熱による美しい着色加工が可能で秀れた耐食性を持ち、塗装の必要もないため、軽量で扱い易く製作容易でコスト安な極めて実用的な捕獲網を提供することを目的としている。
【０００６】
【課題を解決するための手段】
添付図面を参照して本発明の要旨を説明する。
【０００７】
網取付枠１と棒状握柄２とを共に、チタン材若しくはチタン合金材で形成し、この網取付枠１と棒状握柄２とを溶接連結して構成したことを特徴とする捕獲網に係るものである。
【０００８】
また、輪状の網取付枠１にパイプ製握柄２を連設した捕獲網において、前記網取付枠１と握柄２とを共にチタン材若しくはチタン合金材で形成し、この網取付枠１と棒状握柄２とを溶接連結して構成したことを特徴とする請求項１記載の捕獲網に係るものである。
【０００９】
また、輪状に湾曲若しくは折曲した前記網取付枠１の基端部の対向近接した遊離端部１Ａを、前記握柄２の連結端部２Ａの外周面に夫々沿設して前記遊離端部１Ａ間に握柄２の連結端部２Ａが介在するように配設し、この遊離端部１Ａと連結端部２Ａとを溶接接合して、網取付枠１と握柄２とを溶接連結したことを特徴とする請求項１，２のいずれか１項に記載の捕獲網に係るものである。
【００１０】
また、チタン材若しくはチタン合金材で形成した網取付枠１若しくは握柄２を加熱して発色させたことを特徴とする請求項１〜３のいずれか１項に記載の捕獲網に係るものである。
【００１１】
また、前記網取付枠１に網を設けて魚を捕獲するたも網、若しくはゴミあるいは泥を捕獲するすくい網として構成したことを特徴とする請求項１〜４のいずれか１項に記載の捕獲網に係るものである。
【００１２】
また、海・川・池あるいは側溝の底部の生物やゴミ等の捕獲物をすくうすくい網に構成し、前記網取付枠１の先端部外側に、保護材３を設けたことを特徴とする請求項１〜５のいずれか１項に記載の捕獲網に係るものである。
【００１３】
【発明の実施の形態】
好適と考える本発明の実施の形態（発明をどのように実施するか）を、図面に基づいてその作用効果を示して簡単に説明する。
【００１４】
網取付枠１、握柄２ともにチタン材若しくはチタン合金材で形成したものであるから、軽量で且つ強度に秀れる。
【００１５】
また、従来のように、網取付枠１と握柄２との連結を螺着構造や他の部材を介して行う構成とせず、溶接によって直接連結を行うことから、従来に比べ簡易な構成で製作作業工程も大幅に削減でき、連結強度にも秀れる。
【００１６】
更に、例えばこの網取付枠１や握柄２に熱を加えるだけで色を表出でき、しかも耐食性に秀れるため、塗装の必要なしに美しい外観と秀れた耐食性を実現できる。
【００１７】
従って、軽量で扱い易く製作容易でコスト安な極めて実用的な捕獲網となる。
【００１８】
【実施例】
本発明の具体的な実施例について図面に基づいて説明する。
【００１９】
本実施例は図１〜３に示すように、網取付枠１と棒状握柄２とを共に、チタン材若しくはチタン合金材で形成し、この網取付枠１と棒状握柄２とを溶接連結して構成したものである。
【００２０】
各部を具体的に説明すると、網取付枠１は、棒状のチタン材を湾曲させて輪状に形成し、この網取付枠１を輪状にする際、両端部を離して遊離端部１Ａを形成し、この遊離端部１Ａは、握柄２の連結端部２Ａの外周面に夫々沿設するように構成されている。
【００２１】
握柄２は、より軽いパイプ製にチタン材を形成したもので、この握柄２には遊離端部１Ａと沿設する連結端部２Ａが設けられており、また、両端部をめくってチタン製の蓋６をして溶接することで、両端部にテーパ面を形成して、軽く握っても握柄２が抜け落ちにくいようにし、扱い易いように構成されている。
【００２２】
また、この網取付枠１と握柄２とは、遊離端部１Ａ間に握柄２の連結端部２Ａが介在するように配設し、この遊離端部１Ａと連結端部２Ａとを溶接接合することで溶接連結され、この網取付枠１に網５が取り付けられている。
【００２３】
本実施例は、上述のように構成したから、オールチタン製であり、チタンは、鉄、アルミ、ステンレスと比較すると、最も軽量なアルミに次いで軽量で、最も強度が強いステンレスと同等の強度を持つ。
【００２４】
即ち、軽くて丈夫である。
【００２５】
更に、チタンは耐食性に最も秀れていて、特に塩化ナトリウムに対して非常に強い耐食性を示すため、海水による劣化は殆どないものとなり、極めてたも網に適した材料であると言える。
【００２６】
また、網取付枠１の遊離端部１Ａと握柄２の連結端部２Ａとを、溶接接合することによって網取付枠１と握柄２とを溶接連結するため、構成が簡易で溶接作業も容易となり、しかも、網取付枠１と握柄２との当接する面積を広くすることができ、そのため溶接面積が広くなり、より一層連結強度に秀れた構成となる。
【００２７】
また、チタンやチタン合金は、例えば８００℃以上に加熱して表面にチタン結晶模様を形成し、これに酸化腐食処理を施すことで任意の色に発色させることができ、秀れた耐食性を持つため、塗装の必要がなく、製作作業工程を削減できる。
【００２８】
従って、本実施例は、軽量で扱い易く製作容易でコスト安な極めて実用的なものとなる。
【００２９】
また、本実施例はたも網として利用する場合について述べてきたが、たも網以外の用途にも使用できる。
【００３０】
例えば、虫取り網としても使用でき、この際握柄２を長く設定しても軽量で連結強度も強いため、非常に扱い易くなる。
【００３１】
また、例えば、池や側溝のゴミをすくい取る網としても使用でき、この際網取付枠１の先端部を図２，３に示すような直線縁に設定することで、網取付枠１を池や側溝の底部に沿って動かすことができるようになるため、池や側溝等の底部のゴミをすくい取り易くなる。
【００３２】
また、網取付枠１の先端部を図２，３に示すような直線縁に設定した場合、直線縁両端の網取付枠１を先端方向外側に突出させ、この突出させた網取付枠１の端部に、棒状の保護材３を取り付けることで、池・川・海等の底部に直線縁が触れることを防いで、底部のゴミ等をすくう際に、網５の直線縁に取り付けられている部分が直線縁と底部とに挟まれて傷つくことを防ぐことができるようになるため、頻繁に底部のゴミ等をすくい取っても、網５の劣化を防いで取り替える頻度を減らすことができる。
【００３３】
また、この握柄２の、網取付枠１を連接しない他方の端部に溶接連結した蓋６には、例えばフック等に引っかけて吊り下げておけるように、チタン製の円環４が溶接連結されているため、保管も極めて容易となる。
【００３４】
また、網取付枠１に取り付ける網５をチタン製としてもよく、その場合には、網５も極めて強度に秀れたものとなるため、網５の劣化を心配することなく、長期に渡って使用できることとなる。
【００３５】
【発明の効果】
本発明は上述のように構成したから、網取付枠と握柄とを共にチタン材若しくはチタン合金材で形成したから、軽量で且つ強度に秀れたものとなり、また、製作作業工程を大幅に削減でき、軽量で扱い易く製作容易でコスト安な極めて実用的な捕獲網となる。
【００３６】
また、請求項２記載の発明においては、前記請求項１記載の発明の作用効果に加え、更に軽量で連接強度に秀れたものとなり、より一層扱い易く実用的な捕獲網となる。
【００３７】
また、請求項３記載の発明においては、前記請求項１，２記載の発明の作用効果に加え、構成が簡易で溶接作業も容易となり、また、一層網取付枠と握柄との連結強度が強くなり、コスト安で極めて実用的な捕獲網となる。
【００３８】
また、請求項４記載の発明においては、前記請求項１〜３記載の発明の作用効果に加え、塗装の必要がなくなり、製作作業工程をより少なくできることとなり、より一層コスト安で極めて実用的な捕獲網となる。
【００３９】
また、請求項５記載の発明においては、前記請求項１〜４記載の発明の作用効果に加え、極めて汎用性に秀れた実用的な捕獲網となる。
【００４０】
また、請求項６記載の発明においては、前記請求項１〜５記載の発明の作用効果に加え、より一層長期にわたる使用に耐えることとなり、極めて実用的な捕獲網となる。
【図面の簡単な説明】
【図１】本実施例の説明平面図である。
【図２】本実施例の保護材を示す説明平面図である。
【図３】本実施例の保護材を示す説明平面図である。
【符号の説明】
１　網取付枠
１Ａ　遊離端部
２　握柄
２Ａ　連結端部
３　保護材
【図１】
2004024017.tif 000003
【図２】
2004024017.tif 000004
【図３】
2004024017.tif 000005
【手続補正書】
【提出日】平成14年7月2日(2002.7.2)
【手続補正１】
【補正対象書類名】明細書
【補正対象項目名】００２７
【補正方法】変更
【補正の内容】
【００２７】
また、チタンやチタン合金は、例えば３５０℃以上に加熱して表面にチタン結晶模様を形成し、これに酸化腐食処理を施すことで任意の色に発色させることができ、秀れた耐食性を持つため、塗装の必要がなく、製作作業工程を削減できる。